【事件の表示】
　特願２０００−　８９３２５「電子機器コントロールシステム」拒絶査定不服審判事件〔平成１３年１０月１２日出願公開、特開２００１−２８５９６１〕について、次のとおり審決する。
【結　論】
　本件審判の請求は、成り立たない。
【理　由】
１　手続きの経緯・本願発明
　本願は、平成１２年３月２８日の出願であって、その請求項１に係る発明は、特許請求の範囲の請求項１に記載された事項により特定される次のとおりのものである。（以下、「本願発明１」という。）
　「【請求項１】ネットワークに接続可能な複数の通信端末と、家庭内あるいはオフィス内に設置された、前記ネットワークに接続されているまたは前記ネットワークに接続されている電子機器と通信機能を持つ複数の電子機器の状態を保持、参照、変更する機能を有する機器状態管理システムとを具え；当該機器状態管理システムは前記家庭内あるいはオフィス内に配設されている各電子機器の状態についての情報を前記通信端末に送り；前記通信端末は前記機器状態管理システムから送られてきた情報を表示し；ユーザは前記通信端末の表示画面を操作して前記電子機器の設定を変更することが可能であり；前記電子機器についての情報が、電子機器の状態の設定者と、設定時間とを含むことを特徴とする電子機器コントロールシステム。」
２　引用刊行物に記載された発明
　これに対して、原審における、平成１４年１２月１２日付けで通知した拒絶の理由に引用した、平成７年５月１９日に頒布された「特開平７−１３１５４２号公報」（以下、「引用刊行物１」という。）には、次の事項がそれぞれ記載されている。
　記載事項（１）
　「【０００７】【実施例】以下本発明の実施例を図面の基づき説明する。図１は本発明による実施例概念図で、１はグラフィック表示機器を有するコンピュータ装置（遠隔制御端末装置を構成）で、画像を表示するディスプレイ２と、入力を行うキーボード３と、マウス等で代表されるポインティングデバイス４が接続される。５は通信ターミナル装置で、コンピュータ１とは通信ケーブル６で接続され、高速通信可能な通信回線７（公衆デジタル回線，専用回線を含む）を通して制御対象となる家庭８内のＨＢＳへ接続される。家庭８は、図５にその模式図を示すように、回線７と接続されたホームバスシステム端末ＨＴと、これに接続されたホームバスシステム制御操作ユニットＨＳを備え、このホームバスシステム制御操作ユニットＨＳを家庭内の機器（エアコン，各種センサー，ＴＶ，ＶＴＲ，照明，窓，カーテン，玄関ドアなど）に接続してこれらを集中管理可能としてＨＢＳが構成される。」（２頁右欄２６〜４３行）
　記載事項（２）
　「【００１１】図３は通信制御手順を示す簡単なフローチャートで、回線の接続から画面処理、ＨＢＳ制御の流れを示す。同図を参照して動作の流れを説明する。まず回線にアクセスして制御対象となる家庭８に接続する（Ｓ−１）。この接続が終了するとまずパスワード照合（Ｓ−２）を行い、これで初めて家庭８のＨＢＳに対する制御が可能となる。ここで、遠隔制御端末装置側のコンピュータ１からの「システム構成データ要求」送信により家庭８のＨＢＳに予め設定している例えば図４（ａ）（ｂ）で示す各種オブジェクトに対応したデータが家庭８のＨＢＳからコンピュータ１に送信される（Ｓ−３）。コンピュータ１ではこれに対して内蔵するデータベース１０のグラフィック画像を対応させて、家庭８内のレイアウト並びにＨＢＳに接続され遠隔制御可能な機器、及び各種センサーからの値に基づく状態をディスプレイ２に表示させる（Ｓ−４）。」（３頁左欄３０〜４５行）
　記載事項（３）
　「【００１２】次に利用者は、マウス等のポインディングデバイス４でこのグラフィック画面を操作し（Ｓ−５）、制御したい機器のある部屋並びに制御機器を選びこれを選択する。例えば、ディスプレイ２をスクロールさせて図１に示す画面を呼び出し、ポイントＰを移動させて希望の機器を選択する。機器の制御可能な内容は前もってデータベースもしくは家庭８のＨＢＳからのＨＡシステムオブジェクトデータで登録されており、選択すると同時に機器の状態、制御したい項目が表示される。これは項目がメニューで表示されたり、機器の模擬的な表示パネルが出てくるようにしてもよい。」（３頁左欄４６行〜右欄６行）
　記載事項（４）
　「【００１３】この選択後、希望の制御項目を選択すると、現在の機器の状態データが更新され、直ちに回線を通して家庭８のＨＢＳに対して制御変更指示が送られる（Ｓ−６）。家庭８のＨＢＳはこの指示信号に基づき、該当する機器の現在設定されている状態を変更する。例えば部屋のエアコンのスイッチをオンする指示があると、エアコンの電源がオンされる。そして指示に従った制御が実行されると、その制御結果は直ちに家庭８のＨＢＳより通信回線を介してコンピュータ１側へ送り返される。この結果ディスプレイ２のグラフィック画面上のエアコンの状態がオフからオンに変更されて表示される（Ｓ−７）。」（３頁右欄７〜１８行）
　記載事項（５）
　「【００１４】図４（ａ）（ｂ）は通信コマンド情報並びにグラフィック関連データの対応表で、本発明の場合は部屋レイアウト情報、機器設置情報並びに制御機器グラフィックデータ、ＨＢＳ制御情報、異常処理情報など本装置を機能させるための基本的データが含まれる。このデータと実際の操作例について以下説明する。ここで図５に示す家庭８のレイアウト模式図をイメージした画像の一部がディスプレイ２のグラフィック画面上に描き出される。家庭の部屋レイアウト情報はＨＯＭＥ情報データとして階数、部屋数、玄関を起点にした部屋レイアウト情報、部屋の種類、各部屋に設置されている制御対象の機器と種別等で構成される。機器情報は前もって対応するグラフィックデータがコンピュータ１に機器オブジェクト情報として登録されている。また制御可能な内容も登録されており、例えばエアコンの場合は、電源のオン・オフ、窓の場合は施錠やカーテンの開閉などの制御項目が登録されている。」（３頁右欄１９〜３５行）
３　対比  
　本願発明１と引用刊行物１に記載された発明を対比すると、
　両者は、「ネットワークに接続可能な複数の通信端末と、家庭内あるいはオフィス内に設置された、前記ネットワークに接続されているまたは前記ネットワークに接続されている電子機器と通信機能を持つ複数の電子機器の状態を保持、参照、変更する機能を有する機器状態管理システムとを具え；当該機器状態管理システムは前記家庭内あるいはオフィス内に配設されている各電子機器の状態についての情報を前記通信端末に送り；前記通信端末は前記機器状態管理システムから送られてきた情報を表示し；ユーザは前記通信端末の表示画面を操作して前記電子機器の設定を変更することが可能でありことを特徴とする電子機器コントロールシステム。」である点で一致し、
　次の点で相違する。
　ａ）電子機器についての情報が、本願発明１は、「電子機器の状態の設定者と、設定時間とを含む」のに対し、引用刊行物１に記載された発明は、そのように構成されていない点。
４　当審の判断
　上記相違点ａ）について検討する。
　電子機器コントロールシステムにおいて、電子機器についての情報が、電子機器の状態の設定者と、設定時間とを含むことは、周知技術（例えば、実願平４−６１０３８号（実開平６−１９０５７号）のＣＤ−ＲＯＭ）であり、その周知技術を引用刊行物１に記載された発明に適用することには格別の困難性が存在しないため、上記相違点ａ）は、当業者が容易に想到し得る程度のものである。
５　むすび
　したがって、本願発明１は、引用刊行物１に記載された発明に基づいて、当業者が容易に発明をすることができたものであるので、特許法第２９条第２項の規定により特許を受けることができない。
　よって、結論のとおり審決する。